(57)【要約】【課題】  複数のセンサー端末から同時に情報が送信された場合であっても、この情報を受信する受信側の端末が全ての情報を確実に受信することができ、且つセンサー端末の消費電力を可及的に抑制できる通信システムを提供する。【解決手段】  １のネットワーク端末２に対して複数のセンサー端末３を無線通信可能に構成し、ネットワーク端末２に、互いに異なる受信周波数で無線通信を行う無線受信部２１を複数備えるとともに、センサー端末３に無線受信部を備えず、該センサー端末３からネットワーク端末２にのみ情報の送信を行うように構成した。また、携帯端末４により、センサー端末３における無線送信部３４の送信周波数データをネットワーク端末２に無線送信し、センサー端末３と無線受信部２１とを対応付けて、対応付けられたセンサー端末３と無線受信部２１との間で無線通信を行うようにした。【選択図】      図１
2005051557.tif 000002
【特許請求の範囲】
【請求項１】
無線送信部及び無線受信部のうち無線送信部のみを備える複数の送信端末と、互いに異なる受信周波数が設定される複数の無線受信部を有する一の受信端末とを備え、
前記受信端末の無線受信部とこの無線受信部の受信周波数に対応する送信周波数が設定された送信端末との間で情報を無線通信し、前記受信端末は、前記無線受信部で受信した情報を通信ネットワーク上に配信することを特徴とする通信システム。
【請求項２】
前記受信端末は、前記送信端末の送信周波数を示す情報を受信すると、前記複数の無線受信部のうち一の無線受信部の受信周波数を、前記送信周波数を示す情報を送信した送信端末の送信周波数に設定することを特徴とする請求項１に記載の通信システム。
【請求項３】
前記送信端末と通信可能に接続されるとともに、前記通信ネットワークを介して前記受信端末と通信可能に接続される伝送端末を備え、前記伝送端末は、前記通信ネットワークを介して前記送信端末の送信周波数を示す情報を前記受信端末に伝送することを特徴とする請求項２に記載の通信システム。
【請求項４】
前記送信端末と通信可能に接続されるとともに、前記通信ネットワークを介して前記受信端末と通信可能に接続される伝送端末を備え、前記伝送端末は、前記通信ネットワークを介して受信した前記受信端末の一の無線受信部の受信周波数を示す情報を一の送信端末に伝送するものであり、前記送信端末は、前記受信周波数を示す情報を受信すると、送信周波数をその受信周波数に設定することを特徴とする請求項１に記載の通信システム。
【発明の詳細な説明】
【技術分野】
【０００１】
本発明は、室内の環境（温度や湿度等）等に係る情報を無線通信する通信システムに関する。
【背景技術】
【０００２】
特定の領域の環境（温度や湿度等）を管理・監視することを目的として、その領域の環境を検出するセンサーと、該センサーに通信機能を搭載し、このセンサーから送信される環境情報を受信する受信機とを備えた通信システムが広く知られている。
【０００３】
その一例として、下記特許文献１に記載されているものがある。特許文献１には、温泉の温度を管理すべく、温泉の温度を検出する温度センサーと、各温度センサーに対応して備えられ、温度センサーにより測定された温泉の温度を一時的に蓄積する制御装置と、管理者により所有され、ＰＨＳ（Personal Handy phone System）網を介して制御装置から温泉の温度が転送される管理装置とを備える通信システムが開示されている。
【０００４】
また、複数のセンサーからの各情報を同時に受信できるようにすることを目的とした技術として、例えば下記特許文献２に開示されたものがある。
【０００５】
この特許文献２には、ゲーム機器におけるコントローラ等の送信機から、該コントローラの操作情報等を無線により受信機に送信する無線通信機器において、送信機から受信機に操作情報等を送信する場合に、複数の送信機が、その操作情報を示す信号を含む送信信号列を、互いに異なる周期で、送信機の個数以上の回数、繰り返し非同期で送信するとともに、それらの送信機のうち２つの送信機からなる全ての組合せにおいて、組み合わせた２つの送信機から送信機の個数以上の回数、繰り返し送信される互いの信号列が２つ以上一部でも重ならないように、各送信機の送信周期を決定する技術が開示されている。
【特許文献１】特開２００１−３５５９１３号公報
【特許文献２】特開２００２−３１９８８４号公報
【発明の開示】
【発明が解決しようとする課題】
【０００６】
しかしながら、前記特許文献１のシステムにおいて、管理装置が１の受信部（受信回路）しか備えていない場合、複数の制御装置から同時に温泉の温度が送信されたときには混信状態となり、全ての温泉の温度を確実に管理装置で受信できない虞がある。
【０００７】
そこで、例えばポーリング方式により通信を行うようにすると、管理装置は全ての温泉の温度を確実に受信することができるが、この場合、管理装置から例えば温度情報の送信を許可する旨の情報等を受信するために、制御装置に無線用の受信部が必要であり、制御装置、延いては通信システム全体のコストアップや制御装置の大型化を招来する。
【０００８】
また、特許文献２の技術にあっては、決定した送信機の送信周期が比較的大きいと、送信機の送信時間が長くなり、比較的大きな電力を消費することとなる。
【０００９】
本発明は、このような事情に鑑みてなされたものであり、複数の端末から同時に送信された情報を受信端末で確実に受信することができ、且つセンサを備える側の端末の消費電力を可及的に抑制することのできる通信システムを提供することを目的とする。
【課題を解決するための手段】
【００１０】
上述の目的を達成するために、本発明の第１の手段に係る通信システムは、無線送信部及び無線受信部のうち無線送信部のみを備える複数の送信端末と、互いに異なる受信周波数が設定される複数の無線受信部を有する一の受信端末とを備え、前記受信端末の無線受信部とこの無線受信部の受信周波数に対応する送信周波数が設定された送信端末との間で情報を無線通信し、前記受信端末は、前記無線受信部で受信した情報を通信ネットワーク上に配信する。
【００１１】
さらに、上述の通信システムにおいて、前記受信端末は、前記送信端末の送信周波数を示す情報を受信すると、前記複数の無線受信部のうち一の無線受信部の受信周波数を、前記送信周波数を示す情報を送信した送信端末の送信周波数に設定する。
【００１２】
さらに、上述の通信システムにおいて、前記送信端末と通信可能に接続されるとともに、前記通信ネットワークを介して前記受信端末と通信可能に接続される伝送端末を備え、前記伝送端末は、前記通信ネットワークを介して前記送信端末の送信周波数を示す情報を前記受信端末に伝送する。
【００１３】
また、上述の第１の手段に係る通信システムにおいて、前記送信端末と通信可能に接続されるとともに、前記通信ネットワークを介して前記受信端末と通信可能に接続される伝送端末を備え、前記伝送端末は、前記通信ネットワークを介して受信した前記受信端末の一の無線受信部の受信周波数を示す情報を一の送信端末に伝送するものであり、前記送信端末は、前記受信周波数を示す情報を受信すると、送信周波数をその受信周波数に設定する。
【発明の効果】
【００１４】
このような構成の通信システムは、無線送信部及び無線受信部のうち無線送信部のみを備える複数の送信端末と、互いに異なる受信周波数が設定される複数の無線受信部を有する一の受信端末とを備え、前記受信端末の無線受信部とこの無線受信部の受信周波数に対応する送信周波数が設定された送信端末との間で情報を無線通信するようにしたので、複数の送信端末から同時に情報が送信された場合であっても、受信端末は全ての情報を確実に受信することができるとともに、送信端末に無線受信部を備えない分、ポーリング方式を採用する通信システムに比して、送信端末のコストアップや大型化を抑制することができる。
【発明を実施するための最良の形態】
【００１５】
以下、本発明に係る通信システムの第１の実施形態を図面に基づいて説明する。
【００１６】
図１は、通信システムの構成を示す図である。図１に示すように、通信システム１は、ネットワーク端末２と、センサー端末３と、携帯端末４と、データベース５と、ＷＥＢサーバ６とを備える。ネットワーク端末２とセンサー端末３とは電波等を利用した無線通信が可能とされているとともに、携帯端末４は、センサー端末３と例えば有線により、また、通信ネットワーク７を介してネットワーク端末２と通信可能に接続されている。データベース５及びＷＥＢサーバ６は通信ネットワーク７を介してネットワーク端末２と通信可能に接続されている。通信ネットワーク７は、公衆電話回線や専用線等の電気通信回線を含むものである。また、携帯端末４とセンサー端末３とは、常時、有線等により接続してもよいし、適宜必要に応じて接続してもよい。
【００１７】
通信システム１は、例えば次のような用途に利用される。
【００１８】
例えば、図２に示すように、ビルの或るフロア８の複数の位置にそれぞれ空調機器９が設置されている場合において、そのフロア８の室内が均一な室温となるように空調設備９の制御を行いたいときに、温度が検出可能なセンサー端末３をそのフロア８に分散して複数設置するとともに、通信ネットワークに接続されたネットワーク端末２を適所に設置し、センサー端末３からネットワーク端末２に、各々の設置場所における温度の情報を無線で送信する。さらに、空調機器９の動作を制御する不図示の制御機器を通信ネットワーク７に接続し、ネットワーク端末２からその制御機器に通信ネットワーク７を介して温度情報を送信し、制御機器は、温度情報に基づき空調設備の制御を行う。
【００１９】
或いは、ビルの１フロア内の温度、湿度、照度及び二酸化炭素濃度等の環境を管理したいときに、温度、湿度、照度及び二酸化炭素濃度を各々検出可能なセンサー端末３をそのフロアにそれぞれ設置するとともに、ネットワーク端末２をこのビルの適所に設置し、各センサー端末３からネットワーク端末２に前記環境に係る情報（以下、環境情報）を無線で送信する。さらに、ネットワーク端末２から通信ネットワーク７を介して携帯端末４にその環境情報を送信し、管理者が携帯端末４でそのフロアの環境情報を閲覧して管理・監視したり、ネットワーク端末２から空調機器や照明機器等の設備機器の動作を制御する不図示の制御機器に通信ネットワーク７を介してその環境情報を送信し、制御機器は、環境情報に基づき設備機器の制御を行ったりする。
【００２０】
このような通信システム１において、センサー端末３の施工性等の点から、電力線を敷設し該電力線を用いてセンサー端末３に駆動電力の供給を行う構成を採用せず、該センサー端末３を電池で駆動するように構成した場合には、センサー端末３の消費電力を抑制して電池の寿命を延命化することが要求される。
【００２１】
この要求に対し、本実施形態の通信システム１では、１のネットワーク端末２に対して複数のセンサー端末３を無線通信可能に構成するとともに、センサー端末３には無線送信部及び無線受信部のうち後述の無線送信部３４のみを備え、センサー端末３からネットワーク端末２への一方向にのみ情報の送信を行うように構成することで、電池の長寿命化等を実現しているところに特徴を有している。
【００２２】
また、本実施形態では、１のネットワーク端末２に対して複数のセンサー端末３が無線通信可能に構成しても、複数のセンサー端末３から同時に送出された情報をすべて確実に受信できるように、ネットワーク端末２は、異なる受信周波数を有する後述の無線受信部２１を複数備え、センサー端末３の無線送信部３４は、受信周波数が当該無線送信部３４の送信周波数と同一の周波数に設定された無線受信部２１との間で環境情報等の通信を行うように構成している。以下、この構成について説明する。
【００２３】
ネットワーク端末２は、複数の無線受信部２１と、ネットワーク制御部２２とを備える。ネットワーク端末２は、特許請求の範囲における受信端末に相当するものである。
【００２４】
無線受信部２１は、センサー端末３から無線送信された情報を受信するものである。本実施形態においては、無線受信部２１は、当該ネットワーク端末２と通信を行うセンサー端末３と同数備えられており、各無線受信部２１は、それぞれ固有の受信周波数を有し、その受信周波数は、いずれかのセンサー端末３の送信周波数に予め設定されている。
【００２５】
なお、1度も通信を行っていない無線受信部２１とセンサー端末３とは対応付けられていない状態であり、センサー端末３から、環境情報を送信する前に、当該センサー端末３（後述の無線送信部３４）が情報をネットワーク端末２に送信する際に使用する送信周波数を示す情報（以下、送信周波数データという）が送信されることで、該センサー端末３とこの送信周波数に対応する無線周波数を有する無線受信部２１とが対応付けられる。
【００２６】
ネットワーク制御部２２は、記憶部２３を備えており、センサー端末３から該センサー端末３の送信周波数に対応する受信周波数を有する無線受信部２１により送信周波数データを受信すると、この記憶部２３に、その無線受信部２１の情報とセンサー端末３のＩＤとをテーブル形式で記憶し、この無線受信部２１とセンサー端末３とが対応付けられる。この周波数設定動作の完了後、上記無線受信部２１が、この受信周波数に対応する送信周波数を有するセンサー端末３から無線送信された環境情報を受信すると、ネットワーク制御部２２は、その環境情報をセンサー端末３のＩＤを付加した状態で通信ネットワーク７上に配信する。
【００２７】
センサー端末３は、センサー部３１と、タイマー３２と、制御部３３と、無線送信部３４とを備える。センサー端末３は、特許請求の範囲における送信端末に相当するものである。
【００２８】
センサー部３１は、制御部３３に接続され、前述したように例えば温度や湿度、或いは二酸化炭素濃度や照度等を検出する回路である。
【００２９】
制御部３３は、タイマー３２が所定時間をカウントするたびにセンサー部３１に検出動作を行わせると共に、センサー部３１から出力された環境情報を無線送信部３４に出力する回路である。また、上記周波数設定動作を行う際に、制御部３３は、無線送信部３４の送信周波数データと当該センサー端末３に予め付与されたＩＤ（identification）とをネットワーク端末２に送信すべく、これらの情報を無線送信部３４に送出する。なお、ＩＤは、各センサー端末３を識別するための識別子である。
【００３０】
無線送信部３４は、センサー部３１から制御部３３を介して伝送された環境情報や、制御部３３から送出された送信周波数データ及びＩＤをネットワーク端末２に無線送信するものであり、センサー端末３ごとに固有の送信周波数を有する。
【００３１】
携帯端末４は、通信ネットワーク７を介してネットワーク端末２と通信可能に接続されるノート型パーソナルコンピュータ等である。携帯端末４は、ネットワーク端末２から配信された環境情報を通信ネットワーク７経由で受信し、その環境情報の表示部（不図示）への表示等を行う。携帯端末４は、特許請求の範囲における伝送端末に相当するものである。
【００３２】
データベース５は、センサー端末３からネットワーク端末２に送信された環境情報を、該ネットワーク端末２から通信ネットワーク７を介して受け取り、格納するものである。
【００３３】
ＷＥＢサーバ６は、通信ネットワーク７に接続された不図示の機器から、データベース５に格納されている環境情報が要求された場合に、該環境情報をその機器に提供する機能を有するものである。
【００３４】
次に、ネットワーク端末２とセンサー端末３との間で行われる環境情報の通信動作までの通信システム１の動作について説明する。
【００３５】
図３は、周波数設定動作を示す図である。図３に示すように、センサー端末３はネットワーク端末２の無線受信部２１に送信周波数データ及びＩＤを無線で送信すると（ステップ♯１）、この無線受信部２１は、ネットワーク制御部２２にその送信周波数データを出力する（ステップ♯２）。ネットワーク制御部２２は、センサー端末３のＩＤと無線受信部２１の情報とをテーブル形式で記憶して、センサー端末３と無線受信部２１との対応付けを行う（ステップ♯３）。
【００３６】
その後、ネットワーク制御部２２は、センサー端末３と無線受信部２１との対応付けを行った旨の情報をその無線受信部２１に出力し（ステップ♯４）、無線受信部２１は、その情報を対応するセンサー端末３に無線で送信する（ステップ♯５）。
【００３７】
図４は、センサー端末３の動作を示すフローチャートである。図４に示すように、タイマー３２が所定時間をカウントするまでは（ステップ♯１１でＮＯ）、センサー部３１は温度等の検出動作を待機し、タイマー３２が所定時間をカウントする（ステップ♯１１でＹＥＳ）と、センサー部３１は、温度等の検出動作を行い（ステップ♯１２）、無線送信部３４は、その検出した環境情報を無線でネットワーク端末２に送信する（ステップ♯１３）。
【００３８】
図５は、環境情報の無線通信動作を示す図である。図５に示すように、センサー端末３において、タイマー３２が所定時間カウントする（ステップ♯２１）と、センサー部３１は温度等の検出を行い（ステップ♯２２）、無線送信部３４は、ネットワーク端末２の複数の無線受信部２１のうち、該無線送信部３４の送信周波数と同一の受信周波数を有する無線受信部２１に、この検出した環境情報を無線で送信する（ステップ♯２３）。この環境情報を受信した無線受信部２１は、ネットワーク制御部２２に環境情報を受信した旨を示す情報を送出し（ステップ♯２４）、ネットワーク制御部２２から環境情報の出力要求がなされるまで、この環境情報を保持しておく。
【００３９】
ネットワーク制御部２２は、無線受信部２１から環境情報を受信した旨を示す情報を受信すると、適切なタイミングで無線受信部２１に環境情報を要求する旨の情報を送出する（ステップ♯２５）。適切なタイミングは、例えばネットワーク制御部２２が、他の無線受信部２１から環境情報を取得する処理や、通信ネットワーク７を介してデータベース５に情報を配信する処理等、他の動作を行っていないタイミングである。
【００４０】
無線受信部２１は、ネットワーク制御部２２から環境情報を要求する旨の情報を受信すると、環境情報をネットワーク制御部２２に送出する（ステップ♯２６）。ネットワーク制御部２２は、無線受信部２１から環境情報を受信すると、通信ネットワーク７を介してデータベース５やＷＥＢサーバ６、或いは携帯端末４にこの環境情報を送信する（ステップ♯２７）。
【００４１】
このように、１のネットワーク端末２に対して複数のセンサー端末３を無線通信可能に構成し、ネットワーク端末２に、互いに異なる受信周波数で無線通信を行う無線受信部２１を複数備えるとともに、センサー端末３に無線受信部２１を備えないで、該センサー端末３からネットワーク端末２にのみ情報の送信を行うように構成したから、複数のセンサー端末３から同時に環境情報が送信された場合であっても、ネットワーク端末２は全ての環境情報を確実に受信することができるとともに、センサー端末３を備えない分、センサー端末３のコストアップや大型化を回避しつつ、センサー端末３を駆動する電池の寿命を延命化することができる。
【００４２】
なお、本発明は、上記第１の実施形態に限らず、次の変形形態（１）〜（５）が採用可能である。
【００４３】
（１）上記第１の実施形態においては、送信周波数データをセンサー端末３からネットワーク端末２へ無線で直接送信して、ネットワーク制御部２２がセンサー端末３と無線受信部２１とを対応付けるようにしたが、これに限らず、その送信周波数データを、携帯端末４を経由してネットワーク端末２に送信するようにしてもよい。
【００４４】
この場合、センサー端末３の制御部３３は、ネットワーク端末２における無線受信部２１の受信周波数の設定動作を行うとき（携帯端末４から要求があったとき）、無線送信部３４の送信周波数データと当該センサー端末３に予め付与されたＩＤ（identification）とを携帯端末４に送信すべく、これらの情報を無線送信部３４に送出する。
【００４５】
そして、携帯端末４は、例えばセンサー端末３と接続されたときに、センサー端末３に送信周波数データを要求し、センサー端末３から送信周波数データを取得すると、通信ネットワーク７を介してネットワーク制御部２２に伝送する。
【００４６】
ネットワーク端末２においては、第１の実施形態と異なり、無線受信部２１の受信周波数は予め設定されておらず、ネットワーク制御部２２は、携帯端末４から通信ネットワーク７を介して送信周波数データを受信すると、その送信周波数データが示す送信周波数を受信周波数として設定する対象の無線受信部２１を決定し、その無線受信部２１の受信周波数をその送信周波数に設定する。また、ネットワーク制御部２２は、記憶部２３に、センサー端末３のＩＤと受信周波数が該センサー端末３の送信周波数に設定された無線受信部２１の情報とをテーブル形式で格納する。
【００４７】
これにより、センサー端末３の送信周波数を受信周波数として設定されたネットワーク端末２の無線受信部２１とそのセンサー端末３との間で無線通信が可能となる。
【００４８】
図６は、携帯端末４を利用した詳細な周波数設定動作を示す図である。図６に示すように、携帯端末４がセンサー端末３に接続されると（ステップ♯３１）、携帯端末４は、周波数の設定要求をセンサー端末３に行う（ステップ♯３２）。センサー端末３は、この要求を受けて、無線送信部３４の送信周波数データを携帯端末４に送信する（ステップ♯３３）。
【００４９】
携帯端末４は、送信周波数データを受信すると、このデータを通信ネットワーク７を介してネットワーク端末２のネットワーク制御部２２に送信し（ステップ♯３４）、ネットワーク制御部２２は、受信周波数が設定されていないいずれかの無線受信部２１にその情報を送信する（ステップ♯３５）。無線受信部２１は、送信周波数データを受信して受信周波数の設定を行った（ステップ♯３６）後、その設定が完了した旨の情報をネットワーク制御部２２及び通信ネットワーク７を介して携帯端末４に送信する（ステップ♯３７，♯３８）。
【００５０】
以上のように、携帯端末４により、センサー端末３における無線送信部３４の送信周波数データを取得し、通信ネットワーク７を介してネットワーク制御部２２に伝送するようにしても、センサー端末３の送信周波数を受信周波数として設定された無線受信部２１とその送信周波数を有するセンサー端末３との間で無線通信を行う通信システムを構築することができる。
【００５１】
（２）上記変形形態（１）においては、携帯端末４は、センサー端末３から無線送信部３４の送信周波数データを取得し、通信ネットワーク７を介してネットワーク端末２に伝送することで、ネットワーク端末２におけるいずれかの無線受信部２１の受信周波数をセンサー端末３における無線送信部３４の送信周波数に設定するようにしたが、これに限らず、ネットワーク端末２の各無線受信部２１の受信周波数が予め設定されていて、ネットワーク端末２のいずれかの無線受信部２１の受信周波数を示す情報（以下、受信周波数データという）を、携帯端末４を経由してセンサー端末３に送信するようにしてもよい。
【００５２】
この場合、ネットワーク端末２のネットワーク制御部２２は、センサー端末３における無線送信部３４の送信周波数の設定動作を行うとき（携帯端末４から要求があったとき）、無線受信部２１の受信周波数データを、通信ネットワーク７を介して携帯端末４に送信する。
【００５３】
携帯端末４は、例えばネットワーク端末２と接続されたときに、ネットワーク端末２に受信周波数データを要求し、ネットワーク端末２から通信ネットワーク７を介して受信周波数データを取得すると、センサー端末３に有線で伝送する。
【００５４】
センサー端末３は、有線を介して携帯端末４との間で情報を通信する有線送受信部（不図示）を備えるとともに、有線送受信部を駆動するための駆動電力の供給を携帯端末４から受けるように構成されている。なお、この有線送受信部は、制御部３３に接続される構成である。制御部３３は、有線送受信部が携帯端末４から受信周波数データを受信すると、無線送信部３４の送信周波数をその受信周波数データが示す受信周波数に設定する。
【００５５】
この場合、詳細な周波数設定動作は、図７に示すものとなる。図７に示すように、携帯端末４がセンサー端末３に接続され（ステップ♯４１）、携帯端末４が周波数の設定要求を、通信ネットワーク７を介してネットワーク端末２のネットワーク制御部２２に行う（ステップ♯４２）と、ネットワーク制御部２２は、その時点で受信処理を行っていないいずれかの無線受信部２１に設定要求を行う（ステップ♯４３）。
【００５６】
無線受信部２１は、ネットワーク制御部２２から設定要求を受けると、当該無線受信部２１の受信周波数データを、ネットワーク制御部２２に送信し（ステップ♯４４）、さらにネットワーク制御部２２は、前記無線受信部２１の受信周波数を示す情報を通信ネットワーク７を介して携帯端末４に送信する（ステップ♯４５）。
【００５７】
携帯端末４は、受信周波数データを受信すると、該データをセンサー端末３に送信する（ステップ♯４６）。センサー端末３において、有線送受信部が受信周波数データを受信すると、制御部３３は、無線送信部３４の送信周波数を前記受信周波数に設定する処理を行った（ステップ♯４７）後、その設定が完了した旨の情報を無線送信部３４から携帯端末４に送信する（ステップ♯４８）。
【００５８】
（３）前記変形形態（２）においては、有線送受信部が携帯端末４から受信周波数データを受信すると、制御部３３が無線送信部３４の送信周波数をその受信周波数データが示す受信周波数に設定するように構成したが、センサー端末３の無線送信部３４の送信周波数を、例えば携帯端末４に備えられる周知のソフトウェアスイッチを用いて切替えられるように構成してもよい。
【００５９】
（４）ここで、第１の実施形態及びその変形形態（１）〜（３）においては、ネットワーク端末２のネットワーク制御部２２に、センサー端末３のＩＤと、受信周波数が該センサー端末３の送信周波数に設定された無線受信部２１を示す情報とをテーブル形式で記憶する記憶部２３を備え、ネットワーク制御部２２は、無線受信部２１で受信した情報がどのセンサー端末３から送られてきたものかを認識できるようにしたが、前述のような記憶部２３を設けず、ネットワーク制御部２２は、前述のような認識を行わないで環境情報にＩＤを付加した状態で通信ネットワーク７上に配信し、例えば空調機器等を制御する不図示の制御機器が、前記通信ネットワーク７を介してこれらの情報を受信したときに、受信した環境情報がどのセンサー端末３から送信されたものかをその環境情報に付加されたＩＤから認識するようにしてもよい。
【００６０】
（５）ここで、第１の実施形態及びその変形形態（１），（３）においては、センサー端末３と携帯端末４は、有線ではなく、電波等を用いた無線通信にて通信可能に接続してもよい。
【図面の簡単な説明】
【００６１】
【図１】本発明の通信システムの構成を示す図である。
【図２】本発明の通信システムの使用例を示す図である。
【図３】周波数設定動作を示す図である。
【図４】センサー端末の動作を示すフローチャートである。
【図５】環境情報の無線通信動作を示す図である。
【図６】携帯端末を利用した他の周波数設定動作を示す図である。
【図７】携帯端末を利用した他の周波数設定動作を示す図である。
【符号の説明】
【００６２】
１    通信システム
２    ネットワーク端末
２１  無線受信部
２２  ネットワーク制御部
３    センサー端末
３１  センサー部
３２  タイマー
３３  制御部
３４  無線送信部
４    携帯端末
【図１】
2005051557.tif 000003
【図２】
2005051557.tif 000004
【図３】
2005051557.tif 000005
【図４】
2005051557.tif 000006
【図５】
2005051557.tif 000007
【図６】
2005051557.tif 000008
【図７】
2005051557.tif 000009